(57)【特許請求の範囲】
【請求項１】
蓄電池を備える装置のインレットに接続し、前記装置の蓄電池に給電するための充電コネクタであって、
本体部と、
前記本体部の先端側に設けられ、前記インレットに差し込まれる挿入部と、
前記本体部側から前記挿入部側に亘って延設され、前記本体部に固定された軸を中心に揺動する第１揺動アームと、
前記第１揺動アームの前記軸より挿入部側の前方部分に設けられ、前記挿入部から突出可能な抜け止めフックと、
前記抜け止めフックが突出するように前記第１揺動アームを付勢する第１付勢部材と、
前記本体部側から前記挿入部側に向かって延設され、前記本体部に固定された軸を中心に揺動する第２揺動アームと、
前記第２揺動アームの前記軸より挿入部側の前方部分に設けられ、前記本体部と前記挿入部との境界から突出可能な突起部と、
前記突起部が突出するように前記第２揺動アームを付勢する第２付勢部材と、
前記第１揺動アームの延設方向に平行し、かつ、前記第１揺動アームの前方部分とは反対側の後方部分よりさらに後方に向かって延設され、その延設方向にスライド移動可能なスライド棒と、
前記スライド棒を後退させる方向に付勢する第３付勢部材と、を備え、
前記スライド棒は、
前記第１揺動アームの後方部分に当接して、前記第１揺動アームを前記第１付勢部材による付勢方向とは逆方向に揺動させる押当部と、
前記第２揺動アームの後方部分に当て止めされ、前記第３付勢部材による後退を阻止する当止部と、を有し、
前記挿入部が前記インレットに差し込まれたとき、前記インレットの周縁に前記突起部が当接して押し込まれて、前記当止部と前記第２揺動アームとの当止状態が解除され、前記スライド棒が後退限まで後退すると共に、前記第１揺動アームの後方部分と前記押当部との当接が解除されることで、前記インレットの内周面に設けられた凹部に前記抜け止めフックが突出して係止されることを特徴とする充電コネクタ。
【請求項２】
前記スライド棒が後退限まで後退したことを表示する表示部を備えることを特徴とする請求項１に記載の充電コネクタ。
【発明の詳細な説明】
【技術分野】
【０００１】
本発明は、蓄電池を備える装置のインレットに接続し、装置の蓄電池に給電するための充電コネクタに関する。特に、装置側インレットへの差し込みを確実に行うことができる充電コネクタに関する。
【背景技術】
【０００２】
近年、環境意識の高まりから、蓄電池（バッテリー）を搭載し、その電力でモータを駆動して走行する電動車両（代表的には、電気自動車）の普及が進められており、電気自動車のインフラ整備として充電器の拡充が図られている。また、電気自動車の普及に向け、電気自動車用急速充電器の規格化が進められている（例、日本電動車両規格（JEVS：Japan  Electric  Vehicle  Standard））。
【０００３】
充電器側の充電コネクタに関する技術が、例えば特許文献１に記載されている。この充電コネクタの使用方法は、充電コネクタの先端部を車両側インレットに差し込み、その後さらに、充電コネクタのレバーを握ることで、車両側インレットへの嵌合を完了する。このとき、充電コネクタが差し込まれることで、先端部の外周面からフックが突出し、車両側インレットの内周面に設けられた凹部に係合して、充電コネクタと車両側インレットとが係止される。また、嵌合状態において、所謂ソレノイド（電磁コイルとプランジャとバネとを備える機構部品）の通電駆動により解除レバーをロックすることで、給電中に誤って解除レバーが操作されることを防止する。一方、充電コネクタを車両側インレットから取り外すときは、給電終了により、ソレノイドへの通電が停止され解除レバーのロックが解除される。次いで、解除レバーを操作して、車両側インレットの内周面の凹部に係合するフックを引っ込め、係合を解除した状態で、充電コネクタを車両側インレットから引き抜く（特許文献１（段落００２３−００２６）参照）。
【先行技術文献】
【特許文献】
【０００４】
【特許文献１】特開平７−１９２８０２号公報
【発明の概要】
【発明が解決しようとする課題】
【０００５】
充電コネクタには、安全性や操作性に優れることが望まれる。しかし、上記した特許文献１に記載されるような従来の充電コネクタは、次のような課題がある。
【０００６】
充電コネクタを車両側インレットに差し込んで嵌合させるとき、充電コネクタの車両側インレットへの差し込みが不十分（不完全）であると、充電コネクタのフックが車両側インレットの凹部に正常に係合しない。その結果、充電コネクタと車両側インレットとの嵌合が不完全な状態（半嵌合状態）が起こり得る。しかし、充電コネクタの機械的接続が不十分な半嵌合状態であっても、充電コネクタと車両側インレットとの間で端子同士の電気的接続が確立されていれば、給電を開始することができる。そのため、使用者が不慣れな場合など、車両側インレットへの差し込みが確実に行われたかどうかを十分に確認せず、充電コネクタが半嵌合状態のまま給電を開始してしまうことがあり、給電中に充電コネクタが車両側インレットから抜け落ちることがある。
【０００７】
本発明は、上記の事情に鑑みてなされたものであり、その目的の一つは、装置側インレットへの差し込みを確実に行うことができる充電コネクタを提供することにある。
【課題を解決するための手段】
【０００８】
本発明の充電コネクタは、蓄電池を備える装置のインレットに接続して装置の蓄電池に給電するためのものであり、本体部とこの本体部の先端側に設けられる挿入部とを備える。この挿入部は、装置側のインレットに差し込まれる。また、充電コネクタは、第１揺動アームと、抜け止めフックと、第１付勢部材と、第２揺動アームと、突起部と、第２付勢部材と、スライド棒と、第３付勢部材とを備える。上記第１揺動アームは、本体部側から挿入部側に亘って延設され、本体部に固定された軸を中心に揺動する。上記抜け止めフックは、第１揺動アームの軸より挿入部側の前方部分に設けられ、挿入部から突出可能である。上記第１付勢部材は、抜け止めフックが突出するように第１揺動アームを付勢する。上記第２揺動アームは、本体部側から挿入部側に向かって延設され、本体部に固定された軸を中心に揺動する。上記突起部は、第２揺動アームの軸より挿入部側の前方部分に設けられ、本体部と挿入部との境界から突出可能である。上記第２付勢部材は、突起部が突出するように第２揺動アームを付勢する。上記スライド棒は、第１揺動アームの延設方向に平行し、かつ、第１揺動アームの前方部分とは反対側の後方部分よりさらに後方に向かって延設され、その延設方向にスライド移動可能である。上記第３付勢部材は、スライド棒を後退させる方向に付勢する。上記スライド棒は、第１揺動アームの後方部分に当接して、第１揺動アームを第１付勢部材による付勢方向とは逆方向に揺動させる押当部と、第２揺動アームの後方部分に当て止めされ、第３付勢部材による後退を阻止する当止部とを有する。そして、挿入部が上記インレットに差し込まれたとき、上記インレットの内周面に設けられた凹部に抜け止めフックが突出して係止されると共に、上記インレットの周縁に突起部が当接して押し込まれて、当止部と第２揺動アームとの当止状態が解除され、スライド棒が後退限まで後退することを特徴とする。
【０００９】
本発明の充電コネクタによれば、本体部と挿入部との境界から突出可能な突起部を備えることで、装置側インレットへの差し込みが確実に行われたか否かを確認することができ、以て、装置側インレットへの差し込みを確実に行うことができる。具体的には、挿入部が装置側インレットに差し込まれる前は、スライド棒の当止部が第２揺動アームの後方部分に当て止めされ、第３付勢部材によるスライド棒の後退が阻止されており、スライド棒が第２揺動アーム側、即ち挿入部側にスライドした（押し込まれた）状態で固定される。そして、挿入部が装置側インレットの奥まで差し込まれると、装置側インレットの周縁に突起部が当接して押し込まれ、それにより第２揺動アームが揺動して、当止部と第２揺動アームとの当止状態が解除されるので、スライド棒が後退限まで後退する。ここで、挿入部が装置側インレットの奥まで差し込まれ、装置側インレットへの差し込みが確実に行われると、抜け止めフックが装置側インレットの凹部に突出して係止されることから、充電コネクタと装置側インレットとが完全に嵌合して半嵌合が防止される。
【００１０】
したがって、スライド棒が後退限まで後退したか否かによって、装置側インレットへの差し込みが確実に行われたかどうかを確認することができ、装置側インレットへの差し込みを確実に行うことができる。
【００１１】
本発明の充電コネクタの一形態としては、スライド棒が後退限まで後退したことを表示する表示部を備えることが挙げられる。
【００１２】
この構成によれば、表示部を備えることで、スライド棒が後退限まで後退したことを使用者が容易に判別することができ、装置側インレットへの差し込みが確実に行われたか否かを容易に確認することができる。表示部は、スライド棒が後退限まで後退したことを表示するものであれば、特に限定されるものではなく、例えば、文字、図形、記号などで表示したり、色によって表示したりすることが挙げられる。また、ライト（例えばLED）を点灯又は点滅表示してもよい。さらに、このような視覚的表示の他、例えば、音や音声で聴覚的に表示してもよい。
【発明の効果】
【００１３】
本発明の充電コネクタは、本体部と挿入部との境界から突出可能な突起部を備えることで、装置側インレットへの差し込みが確実に行われたか否かを確認することができる。よって、使用者に対して充電コネクタの半嵌合を注意喚起することができるので、装置側インレットへの差し込みを確実に行うことができる。その結果、充電コネクタの半嵌合を防止することができる。
【図面の簡単な説明】
【００１４】
【図１】実施の形態１に係る車両用充電コネクタを模式的に示す左後方斜視図である。
【図２】実施の形態１に係る車両用充電コネクタを模式的に示す要部拡大上面図である。
【図３】実施の形態１に係る車両用充電コネクタの内部構造を模式的に示す左側面図である。
【図４】実施の形態１に係る車両用充電コネクタの内部構造を模式的に示す左後方斜視図である。
【図５】実施の形態１に係る車両用充電コネクタの内部構造を模式的に示す右後方斜視図である。
【図６】実施の形態１に係る車両用充電コネクタにおける嵌合機構の初期状態を模式的に示す要部拡大左側面図である。
【図７】実施の形態１に係る車両用充電コネクタにおける嵌合機構の初期状態を模式的に示す要部拡大右側面図である。
【図８】実施の形態１に係る車両用充電コネクタにおける嵌合機構の一状態を模式的に示す要部拡大右側面図である。
【図９】実施の形態１に係る車両用充電コネクタにおける嵌合機構の一状態を模式的に示す要部拡大左側面図である。
【図１０】実施の形態１に係る車両用充電コネクタにおける嵌合機構の別の状態を模式的に示す要部拡大左側面図である。
【図１１】実施の形態１に係る車両用充電コネクタにおける嵌合機構のさらに別の状態を模式的に示す要部拡大左側面図である。
【図１２】実施の形態１に係る車両用充電コネクタにおけるスライドスイッチの状態を説明するために模式的に示す要部拡大上面図であり、（A）は初期状態でのスライドスイッチの位置を示し、（B）は後退限まで後退した状態でのスライドスイッチの位置を示す。
【発明を実施するための形態】
【００１５】
本発明の実施の形態を、図を用いて説明する。なお、ここでは、蓄電池を備える装置が電動車両（具体的には、電気自動車）であり、充電コネクタが車両用充電コネクタである場合を例として説明する。また、図中、同一符号は同一部分を示す。
【００１６】
（実施の形態１）
図１に示す車両用充電コネクタ（以下、単に「充電コネクタ」と呼ぶ場合がある）100は、図示しない電気自動車のインレット（車両側インレット）に接続して、電気自動車の蓄電池に給電するために利用される。この充電コネクタ100は、図示しない充電器から延びるケーブル200の先端に取り付けられ、二つ割れのアルミ合金製カバー（右カバーと左カバー）で外装されている。充電コネクタ100は、L字状の本体部1と、本体部1の先端に設けられる挿入部2と、本体部1の背面に形成されるハンドル部3とを備え、本体部1の後端からケーブル200が導入されている。挿入部2は、車両側インレットに差し込まれる部分であり、抜け止めフック11が外周面から露出するように切欠き41が形成されている（図２参照）。ハンドル部3は、C字状であり、一端側が本体部1の上面に沿って延長するように形成され、他端側が本体部1の後端に連結されている。このハンドル部3の上面にはスライドスイッチ4の一部が露出するように配置され、ハンドル部3の背面下方にはLEDランプ5が埋め込まれている。
【００１７】
充電コネクタ100の内部構造を、図３〜７を用いて説明する。図３、４、６は左カバーを、図５、７は右カバーをそれぞれ取り外した状態であり、いずれの図も充電コネクタ100を車両側インレットに差し込んで嵌合させる前の状態（初期状態）を示している。図３〜５に示すように、本体部１には、ケーブル200が配設されると共に、後述する機械部品や機構部品が格納されている。また、挿入部2には、端子（図示せず）が格納されており、端子は端子ケース70に収納されている。以下、充電コネクタ100における車両側インレットに嵌合させるための嵌合機構について説明する。なお、端子は、例えばJEVS  G  105-1993などの規格に準拠した端子配列となっており、ここでは説明を省略する。
【００１８】
充電コネクタ100は、第１揺動アーム10と、抜け止めフック11と、第１付勢部材12とを備える（図４、６参照）。第１揺動アーム10は、本体部1側から挿入部2側に亘って延設され、本体部1に固定された軸13を中心に揺動する。抜け止めフック11は、第１揺動アーム10の軸13より挿入部2側の前方部分に設けられ、挿入部2から突出可能である。第１付勢部材12は、抜け止めフック11が突出するように第１揺動アーム10を付勢する。
【００１９】
この例では、第１揺動アーム10は、棒状の部材であり、中央部に軸13が挿通される孔が形成されており、この軸13に揺動可能に支持されている。抜け止めフック11は、第１揺動アーム10の先端部に設けられており、挿入部2に形成された切欠き41（図２参照）から挿入部2の径方向外方（上方）に突出可能である。抜け止めフック11は、第１揺動アーム10における前方部分の先端部の上面から突出し、第１揺動アーム10の先端側に向かって傾斜する傾斜面を有するくさび状に形成されている。この抜け止めフック11は、挿入部2が車両側インレットに確実に差し込まれたとき、車両側インレットの内周面に設けられた凹部に対応する位置に位置する。この抜け止めフック11の位置は、後述する第２揺動アーム20に設けられた突起部21よりも挿入部2の前方側である。一方、第１揺動アーム10の前方部分とは軸13を挟んで反対側の後方部分は、L字状に屈曲し、後端部が本体部1の径方向内方（下方）に突出している。
【００２０】
またこの例では、第１付勢部材12に捻じりバネを利用している（図４参照）。具体的には、捻じりバネ12を軸13に同心状に配置し、捻じりバネ12の一端を第１揺動アーム10に固定し、他端を本体部1に固定する。そして、第１揺動アーム10の先端部に設けられた抜け止めフック11が挿入部2から突出するように、第１揺動アーム10を揺動（回動）させる方向に付勢するように捻じりバネ12を取り付けている。第１揺動アーム10の第１付勢部材12による揺動は、第１揺動アーム10の前方部分が本体部1の内周面に当接するまで許容される。
【００２１】
さらにこの例では、第１揺動アーム10の前方部分の中央部に貫通孔14が形成されている（図４、５参照）。
【００２２】
また、充電コネクタ100は、第２揺動アーム20と、突起部21と、第２付勢部材22とを備える（図５、７参照）。第２揺動アーム20は、本体部1側から挿入部2側に向かって延設され、本体部1に固定された軸13を中心に揺動する。突起部21は、第２揺動アーム20の軸13より挿入部2側の前方部分に設けられ、本体部1と挿入部2との境界から突出可能である。第２付勢部材22は、突起部21が突出するように第２揺動アーム20を付勢する。
【００２３】
この例では、第２揺動アーム20は、棒状の部材であり、中央部に軸13が挿通される孔が形成されており、この軸13に揺動可能に支持されている。つまり、第１揺動アーム10と第２揺動アーム20とは、同じ軸13に支持されている。また、第１揺動アーム10と第２揺動アーム20とは、左右に並列に配置されている。突起部21は、第２揺動アーム20の先端部に設けられており、挿入部2に形成された切欠き42（図２参照）から挿入部2の径方向外方（上方）に突出可能である。突起部21は、第２揺動アーム20における前方部分の先端部の上面から突出し、第２揺動アーム20の先端側に向かって傾斜する傾斜面を有するくさび状に形成されている。この突起部21は、挿入部2が車両側インレットに確実に差し込まれたとき、車両側インレットの周縁に当接する位置に位置する。一方、第２揺動アーム20の前方部分とは軸13を挟んで反対側の後方部分は、L字状に屈曲し、後端部が本体部1の径方向内方（下方）に突出している。
【００２４】
またこの例では、第２付勢部材22に捻じりバネを利用している（図５参照）。具体的には、捻じりバネ22を軸13に同心状に配置し、捻じりバネ22の一端を第２揺動アーム20に固定し、他端を本体部1に固定する。そして、第２揺動アーム20の先端部に設けられた突起部21が挿入部2から突出するように、第２揺動アーム20を揺動（回動）させる方向に付勢するように捻じりバネ22を取り付けている。第２揺動アーム20の第２付勢部材22による揺動は、前方部分が本体部1の内周面に当接するまで許容される。
【００２５】
さらに、充電コネクタ100は、スライド棒30と、第３付勢部材31とを備える。スライド棒30は、第１揺動アーム10の延設方向に平行し、かつ、第１揺動アーム10の前方部分とは反対側の後方部分よりさらに後方に向かって延設され、その延設方向にスライド移動可能である。第３付勢部材31は、スライド棒30を後退させる方向に付勢する。また、スライド棒30は、第１揺動アーム10の後方部分に当接して、第１揺動アーム10を第１付勢部材12による付勢方向とは逆方向に揺動させる押当部32と、第２揺動アーム20の後方部分に当て止めされ、第３付勢部材31による後退を阻止する当止部33とを有する。
【００２６】
この例では、スライド棒30の先端部に押当部32が設けられており、反対側の後端部にスライドスイッチ4が連結されている。押当部32は、スライド棒30の先端部の上面から突出し、先端側に向かって傾斜する傾斜面を有するくさび状に形成されている（図４、６参照）。押当部32は、スライド棒30（スライドスイッチ4）が挿入部2側（前方）に前進したとき、第１揺動アーム10の後端部に当接し、第１揺動アーム10の後端部を押し上げることで、第１揺動アーム10を第１付勢部材12による付勢方向とは逆方向に揺動させることができる。これにより、抜け止めフック11を下降させ、抜け止めフック11を挿入部2から引っ込めることができる。一方、当止部33は、スライド棒30の先端部に設けられた押当部32から第２揺動アーム20側に向かって突出する片状に形成されており、先端側に向かって傾斜する上面を有する（図５、７参照）。スライド棒30が前進したとき、当止部33の上面が傾斜しているので、第２揺動アーム20の後端部を押し上げて通過できる。図５、７に示すように、当止部33が第２揺動アーム20の後端部に当て止めされることで、第３付勢部材31による付勢に抗って、スライド棒30の後退が阻止される。つまり、スライド棒30（スライドスイッチ4）が第２揺動アーム20側、即ち挿入部2側にスライドした（押し込まれた）状態で固定される。そして、挿入部2が車両側インレットに差し込まれたとき、車両側インレットの周縁に第２揺動アーム20の先端部に設けられた突起部21が当接して押し込まれて、第２揺動アーム20の後端部が上昇するように第２揺動アーム20が揺動する。これにより、当止部33と第２揺動アーム20との当止状態が解除され、スライド棒30が第３付勢部材31による付勢により後退限まで後退する。
【００２７】
またこの例では、第３付勢部材31に圧縮バネを利用している。具体的には、圧縮バネ31の一端を本体部1に固定された支持板43に固定し、他端をスライドスイッチ4に固定する。そして、スライド棒30（スライドスイッチ4）を後退方向、即ち挿入部2側とは反対側方向に付勢するように圧縮バネ31を取り付けている。
【００２８】
その他、充電コネクタ100は、ソレノイド50を備える。このソレノイド50は、プランジャ51を有し、通電駆動時に内蔵された電磁コイル（図示せず）によりプランジャ51を一方向に移動させ、非通電時に内蔵されたバネ（図示せず）によりプランジャ51を元の位置に復帰させる。この例では、ソレノイド50が、第１揺動アーム10の後方で、かつ第２揺動アーム20の仮想延長上とはスライド棒30を挟んで反対側であって、スライド棒30に並列に配置されている（図４、５参照）。また、プランジャ51が挿入部2側に向かって第１揺動アーム10の延設方向と平行（ここでは、水平方向）に移動する。初期状態では、非通電となっている。プランジャ51の移動方向側の先端には、連結部52が取り付けられ、その先端部に押え片53が設けられている。連結部52は、プランジャ51の移動方向側に延びる板状片と、この板状片の先端側から上方に突出すると共に、第１揺動アーム10の前方部分の下方に延びる屈曲部とを有する（図４、６参照）。そして、連結部52の屈曲部先端に挿入部2（抜け止めフック11）側に延びる押え片53が設けられている（図６参照）。この押え片53は、ソレノイド50が非通電状態、即ちプランジャ51が元の位置にある状態では、第１揺動アーム10の前方部分に形成された貫通孔14に臨む位置に位置し、抜け止めフック11が押し込まれたとき、第１揺動アーム10に形成された貫通孔14に遊嵌状態で挿通される。一方、抜け止めフック11が挿入部2から突出した状態で、ソレノイド50が通電駆動され、プランジャ51が挿入部2側に向かって移動すると、押え片53は、抜け止めフック11側に進出し、第１揺動アーム10の前方部分における抜け止めフック11が突出する側とは反対側の下面に当接する位置に位置する。このとき、押え片53は、第１揺動アーム10に形成された貫通孔14から位置ずれする。そして、第１揺動アーム10の前方部分が押え片53に当接することで、抜け止めフック11が挿入部2から引っ込まないように、第１揺動アーム10の揺動が規制される。つまり、抜け止めフック11が挿入部2から突出した状態が維持される。
【００２９】
次に、充電コネクタ100における車両側インレットへの差し込み操作、及び車両側インレットからの引き抜き操作での嵌合機構の動作について、主に図６〜１２を用いて詳しく説明する。
【００３０】
まず、挿入部2を差し込む前の初期状態では、抜け止めフック11及び突起部21が第１付勢部材12及び第２付勢部材22による付勢により挿入部2から突出している（図６、７参照）。また、当止部33が第２揺動アーム20の後端部に当て止めされることで、第３付勢部材31による付勢に抗って、スライド棒30の後退が阻止されている。そのため、スライド棒30の後端部に連結されているスライドスイッチ4が挿入部2側にスライドした（押し込まれた）状態で固定される。
【００３１】
ここで、スライドスイッチ4が摺動するカバーの上面において、スライドスイッチ4が押し込まれた状態では露出し、かつスライドスイッチ4が後退限まで後退したときは露出しない箇所は、表示部45に利用することができる（図４、５参照）。例えば、この表示部45に周囲と異なる色を塗装することで、色によってスライドスイッチ4が押し込まれた状態、即ち当止部33が第２揺動アーム20の後端部に当て止めされていることによりスライド棒30の後退が阻止されている状態であることを視覚的に容易に判別することができる（図１２（A）参照）。
【００３２】
〈差し込み操作〉
挿入部2を車両側インレットに差し込むと、まず、抜け止めフック11が車両側インレットの内周面に当接し、第１付勢部材12による付勢に抗って、抜け止めフック11が押し込まれる。抜け止めフック11は傾斜面を有するので、挿入部2から突出していても、車両側インレットに挿入し易い。
【００３３】
次いで、挿入部2を車両側インレットの奥まで差し込むと、突起部21が車両側インレットの周縁に当接し、第２付勢部材22による付勢に抗って、突起部21が押し込まれる（図８参照）。突起部21は傾斜面を有するので、挿入部2から突出していても、車両側インレットに本体部1が突き当たるまで挿入し易い。そして、突起部21が押し込まれることで、第２揺動アーム20の後端部が上昇するように第２揺動アーム20が揺動することにより、当止部33と第２揺動アーム20との当止状態が解除され、スライド棒30が第３付勢部材31による付勢により後退限まで後退する（図８、９参照）。このとき、抜け止めフック11が車両側インレットの内周面に設けられた凹部に対応する位置に位置することになり、第１付勢部材12による付勢により挿入部2から突出する。これにより、抜け止めフック11が車両側インレットの凹部に正常に係合して係止されることから、充電コネクタ100と車両側インレットとが完全に嵌合した状態となる。以上により、充電コネクタ100の車両側インレットへの差し込み操作が完了する。このとき、充電コネクタ100と車両側インレットとの間で端子同士の電気的接続も確立される。
【００３４】
ここで、スライドスイッチ4の上面において、スライドスイッチ4が押し込まれた状態では露出せず、かつスライドスイッチ4が後退限まで後退したときは露出する箇所は、表示部46に利用することができる（図４、５参照）。例えば、この表示部46に文字などを表記したり、周囲と異なる色を塗装したりすることで、文字や色によってスライドスイッチ4（スライド棒30）が後退限まで後退したことを視覚的に容易に判別することができる（図１２（B）参照）。
【００３５】
さらに、抜け止めフック11が車両側インレットの凹部に突出して係止された状態で、ソレノイド50を通電駆動して、第１揺動アーム10の前方部分の下方であって、第１揺動アーム10に形成された貫通孔14からずれた位置に、押え片53を進出させる（図１０参照）。これにより、第１揺動アーム10の前方部分が押え片53に当接することから、抜け止めフック11が挿入部2から突出した状態で、第１揺動アーム10の揺動が規制される。つまり、抜け止めフック11がロックされた状態となる。そのため、抜け止めフック11が挿入部2から引っ込むことがなく、抜け止めフック11と車両側インレットの凹部との係合が外れることを確実に防止することができる。この例では、ソレノイド50のプランジャ51と押え片53とをつなぐ連結部52の板状片を水平方向に案内するガイド溝54（図４参照）が端子ケース70に設けられており、このガイド溝54に沿って連結部52を移動させることができるので、押え片53を水平方向の正確な位置に進出させ易い。また、ソレノイド50への通電中は、LEDランプ5（図１参照）が点灯する。
【００３６】
ソレノイド50への通電開始は、例えば、充電器から車両への給電を開始するときに行うことが挙げられる。これにより、給電中に使用者が充電コネクタ100を車両側インレットから誤って引き抜いたり、充電コネクタ100が車両側インレットから抜け落ちたりすることを確実に防止することができる。
【００３７】
〈引き抜き操作〉
ソレノイド50への通電を停止して、押え片53を元の位置（即ち、第１揺動アーム10に形成された貫通孔14の下方）に復帰させる（図９参照）。これにより、抜け止めフック11のロック状態が解除される。ソレノイド50への通電停止は、例えば、充電器から車両への給電を終了するときに行うことが挙げられる。
【００３８】
次いで、スライドスイッチ4を挿入部2側（前方）に押し込むことで、スライド棒30を前進させ、押当部32を第１揺動アーム10の後端部に当接させる（図１１参照）。また、押当部32は、第１揺動アーム10の後端部に当接し、第１揺動アーム10の後端部を押し上げることで、第１揺動アーム10を第１付勢部材12による付勢方向とは逆方向に揺動させる。このとき、押当部32は傾斜面を有するので、第１揺動アーム10の後端部を押し上げ易い。そして、抜け止めフック11が下降し、抜け止めフック11が挿入部2から引っ込むことで（図１１参照）、抜け止めフック11と車両側インレットの凹部との係合状態が解除される。
【００３９】
そして、この状態で、充電コネクタ100を車両側インレットから引き抜くことで、充電コネクタ100の車両側インレットからの引き抜き操作が完了する。引き抜き操作完了後、スライド棒30は、第３付勢部材31の付勢により、当止部33が第２揺動アーム20の後端部に当て止めされるまで後退して、初期状態の位置に戻る（図６、７参照）。
【００４０】
以上説明した実施の形態１に係る充電コネクタ100は、次の効果を奏する。
【００４１】
本体部1と挿入部2との境界から突出可能な突起部21が設けられた第２揺動アーム20を備え、挿入部2が車両側インレットの奥まで差し込まれたとき、スライド棒30（スライドスイッチ4）が後退限まで後退する。そのため、スライド棒30（スライドスイッチ4）が後退限まで後退したか否かによって、車両側インレットへの差し込みが確実に行われたかどうかを確認することができる。したがって、不慣れな使用者であっても、スライド棒30（スライドスイッチ4）の状態を確認することで、車両側インレットへの差し込みを確実に行うことができ、充電コネクタ100の半嵌合を防止することができる。また、表示部45,46を備えることで、スライド棒30（スライドスイッチ4）が後退限まで後退したことを使用者が容易に判別することができ、車両側インレットへの差し込みが確実に行われたか否かを容易に確認することができる。
【００４２】
車両側インレットへの差し込み操作は、充電コネクタ100の挿入部2を車両側インレットに差し込むだけの動作でよく、上記した特許文献１に記載の充電コネクタ（差し込み＋レバーを握る）に比較して、直観的に分かり易く操作性に優れる。また、充電コネクタ100の内部構造（嵌合機構）も部品点数が少なくシンプルな構造のため、信頼性が高く、小型化、メンテナンスの容易化、低コスト化を図ることができる。さらに、スライドスイッチ4をハンドル部3の上面に配置したことにより、車両側インレットからの引き抜き操作を片手で行うことが可能である。
【００４３】
さらに、ソレノイド50により押え片53を第１揺動アーム10の前方部分の下方に進出させることで、抜け止めフック11が挿入部2から引っ込むことを直接的に防止している。そのため、衝撃や振動、或いは抜け止めフック11を突出させる第１付勢部材12の破損などのトラブルが生じても、抜け止めフック11が引っ込むことがなく、抜け止めフック11と車両側インレットの凹部との係合状態が解除されることを確実に防止することができる。これに対し、上記した特許文献１に記載の充電コネクタでは、解除レバーをロックして解除レバーの操作を禁止することで、抜け止めフックと車両側インレットの凹部との係合状態が解除されることを間接的に防止している。そのため、衝撃や振動、或いは抜け止めフックを突出させる付勢部材の破損など、解除レバーの操作に関係なく、抜け止めフックが引っ込むようなトラブルが生じたときは、抜け止めフックと車両側インレットの凹部との係合状態が解除されることを確実に防止することができない。
【００４４】
また、ソレノイド50を第１揺動アーム10の後方に配置し、プランジャ51が挿入部2側に向かって水平方向に移動することで押え片53を第１揺動アーム10の前方部分の下方に進出させる構成としたことで、ソレノイド50の設置スペースを確保し易い。
【００４５】
なお、上述した実施の形態では、本発明の充電コネクタを車両用充電コネクタに適用し、車両側インレットに接続して車両の蓄電池に給電する場合を例に説明した。この他、例えば、車両以外の船舶や潜水艇、航空機などの移動体に搭載された蓄電装置のインレットや、家庭やビル、工場などに設置された蓄電装置のインレットが上記した車両側インレットと同様の形状、即ち、インレットの内周面に凹部を有するような場合にも、本発明を適用可能である。
【００４６】
本発明は、上述した実施の形態に限定されるものではなく、本発明の要旨を逸脱しない範囲で適宜変更することが可能である。例えば、第１揺動アーム、第２揺動アーム及びスライド棒の形態を適宜変更することが可能である。また、第１付勢部材、第２付勢部材及び第３付勢部材としては、捻じりバネや圧縮バネに限らず、例えばゴムなどでもよく、バネの種類を適宜変更することも可能である。バネの種類を変更する場合、目的に応じてバネの配置を適宜変更するとよい。
【産業上の利用可能性】
【００４７】
本発明は、蓄電池を備える装置のインレットに接続し、装置の蓄電池に給電するための充電コネクタに利用することができ、例えば、電気自動車用充電器に好適に利用可能である。
【符号の説明】
【００４８】
100  車両用充電コネクタ（充電コネクタ）
200  ケーブル
1  本体部    2  挿入部    3  ハンドル部
4  スライドスイッチ    5  LEDランプ
10  第１揺動アーム
11  抜け止めフック    12  第１付勢部材（捻じりバネ）
13  軸    14  貫通孔
20  第２揺動アーム
21  突起部    22  第２付勢部材（捻じりバネ）
30  スライド棒
31  第３付勢部材（圧縮バネ）
32  押当部    33  当止部
41,42  切欠き    43  支持板    45,46  表示部
50  ソレノイド
51  プランジャ    52  連結部
53  押え片    54  ガイド溝
70  端子ケース
【図１】
0005674036.tif 000002
【図２】
0005674036.tif 000003
【図３】
0005674036.tif 000004
【図４】
0005674036.tif 000005
【図５】
0005674036.tif 000006
【図６】
0005674036.tif 000007
【図７】
0005674036.tif 000008
【図８】
0005674036.tif 000009
【図９】
0005674036.tif 000010
【図１０】
0005674036.tif 000011
【図１１】
0005674036.tif 000012
【図１２】
0005674036.tif 000013